(57)【要約】【課題】コンテンツを視聴する環境において、コンテンツを保護しつつ撮像装置の利便性を向上させること。【解決手段】光電変換によって生成された画像情報を取得する画像情報取得部と、取得した画像情報に基づいて画像ファイルを生成して記憶媒体に記憶させる画像記憶処理部と、画像情報の取得が可能であって画像ファイルの記憶が制限された状態に制御する制御部とを含むことを特徴とする。【選択図】図５
2020144378.tif 000002
【特許請求の範囲】
【請求項１】
光電変換によって生成された画像情報を取得する画像情報取得部と、
取得された前記画像情報に基づいて画像ファイルを生成して記憶媒体に記憶させる画像記憶処理部と、
前記画像情報の取得が可能であって前記画像ファイルの記憶が制限された状態に制御する制御部と
を含むことを特徴とする撮像装置。
【請求項２】
前記画像情報の取得及び前記画像ファイルの記憶それぞれの制限の有無の組合せを示す制限情報を取得する制限情報取得部
を含み、
前記制御部は、取得した前記制限情報に基づいて、前記画像情報の取得が可能であって前記画像ファイルの記憶が制限された状態に制御する
ことを特徴とする請求項１に記載の撮像装置。
【請求項３】
前記画像ファイルの記憶が制限された状態は、前記画像ファイルに対する処理の制限を示す情報を付加した前記画像ファイルを前記記憶媒体に記憶させることが可能な状態である
ことを特徴とする請求項１に記載の撮像装置。
【請求項４】
前記画像ファイルの記憶が制限された状態は、前記画像ファイルを前記記憶媒体に記憶させることを禁止する状態である
ことを特徴とする請求項１に記載の撮像装置。
【請求項５】
前記制限情報取得部は、前記画像情報の取得が行われる場所に応じて入力される入力情報に基づいて、前記制限情報を取得する
ことを特徴とする請求項２に記載の撮像装置。
【請求項６】
前記入力情報は音声情報である
ことを特徴とする請求項５に記載の撮像装置。
【請求項７】
前記入力情報は前記画像情報である
ことを特徴とする請求項５に記載の撮像装置。
【請求項８】
前記入力情報は他の装置から送信される無線信号である
ことを特徴とする請求項５に記載の撮像装置。
【請求項９】
前記入力情報は位置情報である
ことを特徴とする請求項５に記載の撮像装置。
【請求項１０】
前記画像情報の取得中に発光する発光部と、
光を受光する受光部と
を含み、
前記制御部は、前記受光部が前記発光部からの光の反射光を受光した場合に、前記画像情報の取得が可能であって前記画像ファイルの記憶が制限された状態に制御する
ことを特徴とする請求項１に記載の撮像装置。
【請求項１１】
前記画像情報の取得及び前記画像ファイルの記憶それぞれの制限の状態を示す画像を表示部に表示させる表示制御部
を含むことを特徴とする請求項１に記載の撮像装置。
【請求項１２】
光電変換によって生成された画像情報を取得する画像情報取得部と、
取得された前記画像情報に基づいて画像ファイルを生成して記憶媒体に記憶させる画像記憶処理部と、
前記画像情報の取得が可能であって前記画像ファイルの記憶が制限された状態に制御する制御部と
を含むことを特徴とする撮像システム。
【請求項１３】
前記画像情報取得部は、
前記画像情報を暗号化し、
暗号化された前記画像情報を、前記画像情報取得部を含む撮像装置とは別の情報処理装置に対して出力し、
前記情報処理装置は、暗号化された前記画像情報を復元し、
前記画像記憶処理部は、復元された前記画像情報に基づいて画像ファイルを生成して、前記情報処理装置に含まれる前記記憶媒体に記憶させる
ことを特徴とする請求項１２に記載の撮像システム。
【発明の詳細な説明】
【技術分野】
【０００１】
本発明は、撮像装置及び撮像システムに関する。
【背景技術】
【０００２】
本技術分野の背景技術として、特開２０１２−２３４０８６号公報（特許文献１）がある。この公報には、「外部機器より送信される、特定動作を禁止する信号を受信する受信部と被写体像を撮像する撮像部を備え、該信号に従い、特定動作を禁止し、特定動作は、撮像部の撮像動作であることを特徴とする」と記載されている。
【先行技術文献】
【特許文献】
【０００３】
【特許文献１】特開２０１２−２３４０８６号公報
【発明の概要】
【発明が解決しようとする課題】
【０００４】
映画館で上映される映像、コンサート会場のライブ風景、美術館で展示される絵画等のコンテンツは著作権等により保護されており撮影が禁止されている場合が多い。このような撮影が禁止されているコンテンツを視聴する環境において、コンテンツの盗撮が問題視されている。
【０００５】
特許文献１においては、コンテンツの盗撮を防止する目的として、送信装置から所定の禁止信号を乗せた電波を所定の撮影禁止エリア内に発信し、その禁止信号を受信した場合において、撮影を禁止する撮像装置が提案されている。
【０００６】
しかしながら、特許文献１に開示された撮像装置では、撮影禁止エリアにおいてカメラモジュールからの画像情報の取得が完全に禁止されるため、画像情報を取得することで得られる情報が得られず、利便性が悪い。例えば、特許文献１に開示された撮像装置は、コンテンツの撮影が禁止されている美術館等において、絵画等の被写体の画像情報を、カメラモジュールを介して取得し、拡張現実（ＡＲ：Ａｒｇｕｍｅｎｔｅｄ  Ｒｅａｌｉｔｙ）を用いてその被写体に関する情報を被写体に重ねて表示することができない。
【０００７】
本発明は上記課題に鑑みてなされたもので、コンテンツを視聴する環境において、コンテンツを保護しつつ撮像装置の利便性を向上させることを目的とする。
【課題を解決するための手段】
【０００８】
上記課題を解決するために、本発明は、画像情報の取得が可能であって前記画像ファイルの記憶が制限された状態に制御する制御部を含む。
【発明の効果】
【０００９】
本発明によれば、コンテンツを視聴する環境において、コンテンツを保護しつつ撮像装置の利便性を向上させることができる。上記した以外の課題、構成及び効果は、以下の実施形態の説明により明らかにされる。
【図面の簡単な説明】
【００１０】
【図１】本発明の実施形態に係る撮像システムの運用形態の例を示す図である。
【図２】本発明の実施形態に係る撮像装置１のハードウェア構成を例示するブロック図である。
【図３】本発明の実施形態に係る撮像装置１の機能構成を例示するブロック図である。
【図４】本発明の実施形態に係る撮像部及び画像処理部による処理の制限状態の種類を例示する図である。
【図５】本発明の実施形態に係る制御部による制限信号に基づく制御動作を例示するフローチャートである。
【図６】本発明の実施形態に係る動作状態表示画像を例示する図である。
【図７】本発明の実施形態に係る動作状態に応じて撮像装置の表示部に表示される表示画面を例示する図である。
【図８】本発明の実施形態に係る情報処理装置の機能構成を例示するブロック図である。
【図９】本発明の実施形態に係る位置情報リストを例示する図である。
【図１０】本発明の実施形態に係る基地局を介して撮像装置と情報処理装置とが接続される撮像システムの運用形態を例示する図である。
【図１１】本発明の実施形態に係るＭＡＣアドレスリストを例示する図である。
【図１２】本発明の実施形態に係る撮像装置において撮像されて生成された撮像画像を情報処理装置の情報記憶部に記憶させる場合の情報処理装置の各構成部の動作を例示するフローチャートである。
【図１３】（ａ）は、本発明の実施形態に係る撮像部により撮像されて生成された撮像画像を例示する図であり、（ｂ）は、（ａ）の撮像画像が復元された復元画像を例示する図である。
【図１４】本発明の実施形態の実施例２に係る情報処理装置の各構成部の動作を例示するフローチャートである。
【図１５】本発明の実施形態の実施例２に係る画像復元処理及び画像解析処理を行う情報処理装置とは別の特定情報処理装置がネットワークを介して接続されている場合の情報処理装置の動作を例示するフローチャートである。
【図１６】本発明の実施形態の実施例３に係る撮像装置の機能構成を例示するブロック図である。
【図１７】本発明の実施形態の実施例３に係る光情報処理部及び制御部の動作を例示するフローチャートである。
【発明を実施するための形態】
【００１１】
以下、本発明の実施形態について、図面を用いて詳細に説明する。なお、以下の説明は、本発明の一実施形態を説明するためのものであり、本発明の範囲を制限するものではない。従って、当業者であればこれらの各要素若しくは全要素をこれと同等なものに置換した実施形態を採用することが可能であり、これらの実施形態も本発明の範囲に含まれる。
【００１２】
［実施例１］
以下、実施例１について、図面を用いて詳細に説明する。図１は、本実施形態に係る撮像システムの運用形態の例を示す図である。図１に示すように、本実施形態に係る撮像システムは、撮像装置１及び情報処理装置２が、インターネットやＬＡＮ（Ｌｏｃａｌ  Ａｒｅａ  Ｎｅｔｗｏｒｋ）等のネットワーク４を介して接続されて構成されている。
【００１３】
例えば、撮像装置１及び情報処理装置２が無線ＬＡＮで接続されている場合、図１に示すように、撮像装置１がアクセスポイント３と通信を行う。アクセスポイント３は、図示しないルータを介してネットワーク４に接続する。これにより、撮像装置１と情報処理装置２とがネットワーク４を介して接続され画像信号等の情報を送受信する。
【００１４】
撮像装置１は、撮像機能を有し、被写体である撮像対象を撮像することにより撮像画像を生成する。撮像装置１は、例えば、カメラを備えるＨＤＭ（Ｈｅａｄ  Ｍｏｕｎｔｅｄ  Ｄｉｓｐｌａｙ）や腕時計型端末等のウェアラブル端末、カメラを備えるモバイル端末及びデジタルカメラである。
【００１５】
情報処理装置２は、撮像装置１から送信された撮像画像を処理する装置である。例えば、情報処理装置２は、受信した撮像画像に含まれる被写体に関する情報を撮像装置１の表示部に拡張現実（ＡＲ：Ａｒｇｕｍｅｎｔ  Ｒｅａｌｉｔｙ）により表示させるための表示情報を生成したり、受信した撮像画像を記憶媒体や外部サーバ等に記憶処理して、撮像画像を蓄積したりする。
【００１６】
次に、本実施形態に係る撮像システムに含まれる撮像装置１及び情報処理装置２を構成するハードウェア構成について説明する。図２は、本実施形態に係る撮像装置１のハードウェア構成を例示するブロック図である。図２においては、撮像装置１のハードウェア構成を示すが、情報処理装置２についても同様の構成である。なお、撮像装置１は、図２に示すハードウェア構成に加えて、撮像機能等を実現するためのエンジンを備える。
【００１７】
図２に示すように、本実施形態に係る撮像装置１は、一般的なＰＣ（Ｐｅｒｓｏｎａｌ  Ｃｏｍｐｕｔｅｒ）やサーバ等と同様の構成を有する。すなわち、本実施形態に係る撮像装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されて構成されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００１８】
ＣＰＵ１０は演算手段であり、撮像装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００１９】
Ｉ／Ｆ５０は、バス８０と各種のハードウェアやネットワーク等を接続し制御する。ＬＣＤ６０は、ユーザが撮像装置１の状態を確認するための視覚的ユーザインタフェースである。操作部７０は、キーボード、マウス、各種のハードボタン、タッチパネル等、ユーザが撮像装置１に情報を入力するためのユーザインタフェースである。なお、情報処理装置２が画像処理用のサーバとして運用される場合、これらのユーザインタフェース用デバイスは省略可能である。
【００２０】
このようなハードウェア構成において、ＲＯＭ３０に格納されたプログラムや、ＲＡＭ２０に読み出されたプログラムに従ってＣＰＵ１０が演算を行うことによりソフトウェア制御部が構成される。このようにして構成されたソフトウェア制御部と、ハードウェアとの組み合わせによって、本実施形態に係る撮像システムに含まれる撮像装置１及び情報処理装置２の機能を実現する機能ブロックが構成される。
【００２１】
次に、本実施形態に係る撮像装置１の機能について説明する。図３は、本実施形態に係る撮像装置１の機能構成を例示するブロック図である。図３に示すように、撮像装置１は、制御部１０１、音声処理部１０２、音声入出力部１０３、通信処理部１０４、通信入出力部１０５、位置情報処理部１０６、位置情報入力部１０７、画像処理部１０８、撮像部１０９、表示制御部１１０及び画像記憶部１１１を含む。
【００２２】
また、通信入出力部１０５は、１０５ａ、１０５ｂ、１０５ｃから構成される。なお、通信入出力部１０５ａ、１０５ｂ、１０５ｃは、それぞれ異なる通信方式を用いるものとして記載するが、３種類に限定しているものではない。通信方式としては、無線ＬＡＮや携帯電話会社の通信基地局を介してネットワークに接続するものや、Ｂｌｕｅｔｏｏｔｈ（登録商標）やＩＣ（Ｉｎｔｅｇｒａｔｅｄ  Ｃｉｒｃｕｉｔ）タグ等の近距離無線通信、ＥＴＣ（Ｅｌｅｃｔｒｏｎｉｃ  Ｔｏｌｌ  Ｃｏｌｌｅｃｔｉｏｎ  Ｓｙｓｔｅｍ）等に用いられている専用狭域通信等、いずれでもよい。
【００２３】
また、本実施形態では撮像装置１が直接ネットワークに接続して情報をやり取りする場合について説明するが、ネットワークへの接続を、図示しない他の情報表示端末が行い、その情報表示端末と撮像装置１とが通信を行うことで、間接的に撮像装置１がネットワークへ接続を行うような構成としてもよい。
【００２４】
制御部１０１は、画像処理部１０８、音声処理部１０２、位置情報処理部１０６、通信処理部１０４と情報をやり取りすることで、画像処理部１０８及び撮像部１０９による処理を制限するよう制御するための制限信号及び制限信号による処理の制限を解除するための解除信号を取得し、取得した制限信号及び解除信号に基づき画像処理部１０８及び撮像部１０９を制御する。制限信号及び解除信号の詳細は後述する。
【００２５】
音声処理部１０２は、マイクやイヤホン等の音声入出力部１０３から入力される音声情報を取得する。また、音声処理部１０２は、取得した音声情報が制限信号又は解除信号である場合、制御部１０１に対して出力する。音声処理部１０２による制限信号又は解除信号の取得についての詳細は後述する。
【００２６】
通信処理部１０４は、通信入出力部１０５を介してネットワークを介して接続されている情報処理装置２等の他の装置と情報のやりとりを行うとともに、撮像装置１の各構成部とやりとりを行う。また、通信処理部１０４は、取得した情報が制限信号又は解除信号である場合、制御部１０１に対して出力する。通信処理部１０４による制限信号又は解除信号の取得についての詳細は後述する。
【００２７】
位置情報処理部１０６は、ＧＰＳ（Ｇｌｏｂａｌ  Ｐｏｓｉｔｉｏｎｉｎｇ  Ｓｙｓｔｅｍ）等の位置情報入力部１０７から入力される位置情報を取得する。また、位置情報処理部１０６は、取得した位置情報に基づいて制限信号又は解除信号を取得した場合、制御部１０１に対して出力する。位置情報処理部１０６による制限信号又は解除信号の取得についての詳細は後述する。
【００２８】
撮像部１０９は、制御部１０１による制御に従って被写体の画像信号を画像情報として取得する画像情報取得部である。具体的には、撮像部１０９は、被写体の像を光電変換によって電気信号に変換することにより画像信号を生成して取得し、画像処理部１０８に対して出力する。なお、以降、本実施形態においては、このような撮像部１０９が光電変換によって生成された画像信号を取得する処理を「撮像処理」とする。また、光電変換により生成された画像信号である撮像画像情報を「撮像画像」とする。
【００２９】
また、撮像部１０９は、制御部１０１から制限信号による制御が行われた場合、撮像処理が禁止される。例えば、制御部１０１が撮像部１０９に対する撮像命令信号の送信を停止することで、撮像部１０９は撮像処理を行わなくなる。また、撮像部１０９は、制御部１０１から解除信号による制御が行われた場合、撮像処理の制限状態を解除する。
【００３０】
画像処理部１０８は、撮像部１０９から出力された撮像画像に制限信号が含まれているか否かを判定する。画像処理部１０８は、撮像画像に制限信号が含まれている場合、その制限信号を制御部１０１に対して出力する。撮像画像に制限信号が含まれる態様の詳細は後述する。また、画像処理部１０８は、撮像画像に制限信号が含まれている場合、その制限信号に基づいて、取得した撮像画像を処理する。
【００３１】
画像処理部１０８は、例えば、取得した撮像画像に基づいて、ファイルシステムで管理されるデータ形式である画像ファイルを生成して、記憶媒体である画像記憶部１１１に記憶させる。なお、本実施形態においては、このような画像処理部１０８が撮像画像に基づいて画像ファイルを生成して記憶媒体に記憶させる処理を「画像記憶処理」とする。すなわち、画像処理部１０８は、画像記憶処理部として機能する。
【００３２】
上述した撮像部１０９による撮像処理で取得される画像情報は、例えば、ＡＲ表示を行うための情報を生成するために、ＲＡＭ２０等に一時的に記憶されるデータである。一方、画像処理部１０８による画像記憶処理により記憶媒体に記憶される画像ファイルは、ＨＤＤ４０等に記憶されファイルとして閲覧可能なデータである。本実施形態においては、画像情報を取得する処理（撮像処理）と画像情報から画像ファイルが生成され記憶媒体に記憶される処理（画像記憶処理）とが区別され、これらの処理それぞれを制限信号に応じて制限することが本実施形態に係る要旨である。画像処理部１０８による制限信号に基づく撮像画像の処理の詳細は後述する。
【００３３】
なお、画像処理部１０８は、画像情報から画像ファイルを生成する際、画像情報をそのままファイルシステムの形式にすることで画像ファイルを生成してもよいし、画像情報に対して圧縮処理等の何らかの処理を行った後で画像ファイルを生成してもよい。また、以降の説明においては、画像記憶処理により画像記憶部１１１に記憶される画像ファイルも「撮像画像」と記載する。すなわち、画像処理部１０８が撮像画像を画像記憶部１１１に記憶させることは、撮像画像が画像ファイルの形式で画像記憶部１１１に記憶されることを意味する。
【００３４】
また、画像処理部１０８は、制御部１０１から制限信号による制御が行われた場合、制御に従って撮像画像を処理する。制御部１０１による制御に従った撮像画像の処理は、撮像画像に含まれる制限信号に基づく撮像画像の処理と同様であり、詳細は後述する。
【００３５】
また、画像処理部１０８は、通信処理部１０４や画像記憶部１１１から画像情報を取得し、取得した画像情報に応じた処理を行う。例えば、画像処理部１０８は、画像情報が撮像部１０９により取得された被写体に関する情報を表示するための表示情報である場合、表示情報に基づいて表示画像を生成して、表示制御部１１０に対して出力する。
【００３６】
また、例えば、画像処理部１０８は、取得した撮像画像に付加情報が付加されている場合、付加情報に応じて、通信処理部１０４を介して、別の装置に対して撮像画像を送信したり、表示制御部１１０に撮像画像を出力したり、画像記憶部１１１に撮像画像を記憶させたりする。このような付加情報に応じた処理の詳細は後述する。
【００３７】
表示制御部１１０は、画像処理部１０８から入力された画像情報を取得し、取得した画像情報をＬＣＤ６０等の表示部に表示させる。画像記憶部１１１は、画像処理部１０８から入力された撮像画像を格納する記憶媒体である。なお、本実施形態においては、画像記憶部１１１が撮像装置１に含まれる場合を例として説明したが、これは一例であり、撮像装置１に記憶媒体用のインターフェースを持たせ、ＳＤカード等の外部記憶媒体に撮像画像が記憶されてもよい。
【００３８】
次に、制御部１０１が音声処理部１０２、通信処理部１０４、位置情報処理部１０６及び画像処理部１０８から取得する制限信号の詳細を説明する。図４は、撮像部１０９及び画像処理部１０８による処理の制限状態の種類を例示する図である。図４に示すように、制限信号の値に応じて撮像部１０９による撮像処理及び画像処理部１０８による画像記憶処理の制限状態が予め定められており、制御部１０１が参照可能な状態で図示しない記憶媒体等に記憶されている。
【００３９】
図４に示すように、制限信号が未取得（「−」）もしくは「０」である場合、撮像部１０９による撮像処理も画像記憶処理も可能な状態であり、この状態を「通常動作状態」とする。制限信号が「１」である場合、撮像処理も画像記憶処理も可能であるが、画像記憶処理の際には、記憶処理される撮像画像に特定コマンドが付加されて画像記憶部１１１に記憶される状態であり、この状態を「特定動作状態１」とする。
【００４０】
特定コマンドは、撮像画像に対する処理の制限を示す情報であり、例えば、画像記憶部１１１に記憶されている撮像画像を、通信処理部１０４を介してネットワークに接続された他の装置に送信することを禁止する命令や、撮像装置１を所有するユーザのみが閲覧可能とする命令である。その他、特定コマンドは、例えば、撮像画像を、通信処理部１０４を介してネットワークに接続された他の装置に送信可能であるが、撮像画像の閲覧には個人認証（例えば、ユーザＩＤ及びパスワード）が必要である要求や、信号を受信した他の装置からインターネット上に公開出来ないようブロックする命令である。すなわち、特定コマンドが付加された撮像画像は、個人利用のみの目的として画像記憶部１１１に記憶される。また、特定コマンドには、音声処理部１０２等から制御部１０１が取得した制限信号の情報が含まれる。
【００４１】
このように特定コマンドが付加情報として付加された撮像画像が画像記憶部１１１に記憶されることにより、撮像画像として記憶されたコンテンツの流出等を防止してコンテンツを保護することが可能になる。なお、特定コマンドの付加方法は、撮像画像のヘッダー部に付加する等、撮像画像と対になっていればいずれでも良い。
【００４２】
制限信号が「２」である場合、撮像処理は可能であるが、画像記憶処理は不可能な状態であり、この状態を「特定動作状態２」とする。制限信号が「３」である場合、撮像処理も画像記憶処理も不可能な状態であり、この状態を「特定動作状態３」とする。制御部１０１は、取得した制限信号が図４に示した動作状態のうちのいずれの状態であるかを特定し、特定した状態に応じて撮像部１０９及び画像処理部１０８が動作するよう動作状態を制御する。すなわち、制限信号は、撮像処理及び画像記憶処理それぞれの制限の有無の組合せを示す制限情報であり、制御部１０１は、制限情報を取得する制限情報取得部として機能する。
【００４３】
このように、例えば、上述した制限信号の種類に応じて、撮像部１０９による撮像処理及び画像処理部１０８による画像記憶処理それぞれの動作状態を制御することが本発明に係る実施形態における要旨である。次に、このような制御を行う制御部１０１の処理について説明する。図５は、制御部１０１による制限信号に基づく制御動作を例示するフローチャートである。
【００４４】
図５に示すように、撮像装置１への電源投入時等の初期状態において、制御部１０１は、図４に示した「通常動作状態」として撮像部１０９及び画像処理部１０８を制御する（Ｓ５０１）。「通常動作状態」として撮像部１０９及び画像処理部１０８を制御した制御部１０１は、音声処理部１０２等から制限信号を取得する（Ｓ５０２／ＹＥＳ）まで待機する（Ｓ５０２／ＮＯ）。
【００４５】
制御部１０１は、制限信号を取得すると（Ｓ５０２／ＹＥＳ）、取得した制限信号が「１」であるか否かを判定する（Ｓ５０３）。取得した制限信号が「１」である場合（Ｓ５０３／ＹＥＳ）、制御部１０１は、図４に示した「特定動作状態１」として、画像処理部１０８を制御して、取得した撮像画像に特定コマンドを付加して画像記憶部１１１に記憶させる制限状態とする（Ｓ５０４）。
【００４６】
一方、取得した制限信号が「１」ではない場合（Ｓ５０３／ＮＯ）、制御部１０１は、画像処理部１０８を制御して、取得した撮像画像を画像記憶部１１１に記憶させることを禁止する（Ｓ５０５）。制限信号が「１」ではない場合、特定動作状態は、「特定動作状態２」又は「特定動作状態３」であるので、取得した撮像画像を画像記憶部１１１に記憶させることが禁止されるからである。
【００４７】
撮像画像を画像記憶部１１１に記憶させることを禁止する制御を行った制御部１０１は、取得した制限信号が「３」である場合（Ｓ５０６／ＹＥＳ）、図４に示した「特定動作状態３」として、撮像部１０９を制御して、撮像処理を実行不可能な状態とする（Ｓ５０７）。
【００４８】
一方、取得した制限信号が「２」である場合（Ｓ５０６／ＮＯ）、制御部１０１は、図４に示した「特定動作状態２」として、撮像部１０９を撮像処理が実行可能な状態に制御する。すなわち、例えば、美術館においてユーザが撮像装置１を用いて撮像部１０９により被写体である絵画を撮像することにより、撮像された絵画に関する情報をＡＲにより撮像装置１の表示部等に表示させることは可能であるが、撮像された絵画の撮像画像を画像記憶部１１１に記憶させることはできない。
【００４９】
取得した制限信号に応じて撮像部１０９及び画像処理部１０８の処理動作を制限する制御を行った制御部１０１は、画像処理部１０８に対して、取得した制限信号が示す動作状態を表示するための動作状態表示画像を生成するよう通知する（Ｓ５０８）。
【００５０】
図６は、動作状態表示画像を例示する図である。図６に示すように、動作状態表示画像は、例えば、撮像画像の記憶処理の際に特定コマンドが付加されることを示すフロッピーディスクの形状に鍵マーク付のアイコン６００、撮像部１０９による撮像処理が可能な状態を示す撮像アイコン６０１、撮像画像の記憶処理が禁止状態である記憶禁止アイコン６０２及び撮像部１０９による撮像処理が禁止状態である撮像禁止アイコン６０３である。
【００５１】
図７は、動作状態に応じて撮像装置１の表示部に表示される表示画面を例示する図である。画像処理部１０８は、制御部１０１が取得した制限信号が示す動作状態に応じて、図６に示した動作状態表示画像のアイコンを生成し、表示制御部１１０を介してＬＣＤ６０等に表示させる。例えば、図７に示した表示画面においては、撮像アイコン６０１及び記憶禁止アイコン６０２が表示されているので、動作状態は「特定動作状態２」である。
【００５２】
その他、動作状態が「特定動作状態１」の場合、鍵マーク付きアイコン６００及び撮像アイコン６０１が表示され、動作状態が「特定動作状態３」の場合、記憶禁止アイコン６０２及び撮像禁止アイコン６０３が表示される。
【００５３】
そして、制御部１０１は、音声処理部１０２等から解除信号を取得した場合（Ｓ５０９／ＹＥＳ）、取得した制限信号による特定動作状態を解除して（Ｓ５１０）、処理を終了する。解除信号は、音声処理部１０２等から入力される制限信号とは異なる特定動作状態を解除するための信号である。その他、解除信号は値が「０」である制限信号であってもよい。
【００５４】
一方、制御部１０１は、解除信号を取得しない場合（Ｓ５１０／ＮＯ）であって、通常動作状態から特定動作状態へ遷移してからの時間が予め定められた時間（例えば、２時間）経過していないときは（Ｓ５１１／ＮＯ）、特定動作状態を維持する。一方、制御部１０１は、解除信号を取得しない場合（Ｓ５１０／ＮＯ）であっても、通常動作状態から特定動作状態へ遷移してからの時間が予め定められた時間経過したときは（Ｓ５１１／ＹＥＳ）、取得した制限信号による特定動作状態を解除する（Ｓ５１０）。
【００５５】
なお、予め定められた時間は固定の時間でもよいが、制御部１０１が取得する制限信号に時間情報が付加されていてもよい。これにより、制御部１０１は、付加された時間情報に基づいて特定動作状態を維持する時間を設定することができるので、例えば、映画館における映画の上映時間に応じて特定動作状態を維持することができる。また、本実施形態においては、通常動作状態から特定動作状態へ遷移してからの時間が予め定められた時間経過した場合に特定動作状態が解除される場合を例として説明した。その他、撮像装置１が特定動作状態へ遷移した位置から予め定められた距離以上の位置へ離れた場合に、特定動作状態が解除される態様であってもよい。
【００５６】
次に、音声処理部１０２、画像処理部１０８、通信処理部１０４及び位置情報処理部１０６それぞれによる制限信号及び解除信号の取得処理の詳細を説明する。
【００５７】
音声処理部１０２は、音声入出力部１０３より入力される音声情報を解析する。より具体的には、音声処理部１０２は、人間の耳では聴き取りづらい高周波の音声が入力された際に、その音声情報を制限信号及び解除信号として取得する。人間が聴こえる音の周波数はおよそ２０Ｈｚ〜２０ｋＨｚであるため、例えば、２０ｋＨｚ近傍の周波数の音が制限信号又は解除信号として入力される。また、入力する音の周波数を変える、入力する音の周波数は維持し、音の発生周期、つまりは入力する音のＯＮ／ＯＦＦを時間的に繰り返すといった変化を与えることで、上述した複数の特定動作状態に対応することが可能となる。
【００５８】
このような音声を発生する装置を、著作権などで保護されたコンテンツを視聴する環境の入口ゲートに設置することで、非接触で撮像装置１を特定動作状態に遷移させることが可能となる。また、出口ゲートに解除信号に対応する音声を発生する装置を設置することで、非接触で撮像装置１を特定動作状態から通常動作状態に遷移させることも可能となる。
【００５９】
画像処理部１０８は、撮像部１０９から取得した撮像画像を解析する。より具体的には、撮像した撮像画像から特定画像オブジェクトを検出した場合に、制限信号として取得する。例えば、特定画像オブジェクトとしては、撮像禁止を示すＱＲコード（登録商標）（Ｑｕｉｃｋ  Ｒｅｓｐｏｎｓｅ  Ｃｏｄｅ）のような２次元情報、撮像禁止のマーク、撮像禁止の文字等である。特に、映画館のような映像情報を提示する場合では、映像コンテンツ内の数フレームに１度、撮像禁止用の画像を挿入することにより、撮像装置１を特定動作状態に遷移させ、盗撮を防止することが可能となる。尚、撮像部の撮像周波数と、映像コンテンツのフレーム周波数は一般的に異なるため、映像コンテンツ内の撮像禁止用の画像は複数回挿入する必要があるが、人間の目にはほとんど知覚できないため、問題なく盗撮を防止することが可能となる。
【００６０】
また、特定画像オブジェクトは、撮像画像の記憶処理禁止マークや記憶処理禁止文字が含まれてもよい。画像処理部１０８は、これらのオブジェクトの組合せに応じた制限信号を撮像画像から取得する。その他、特定画像オブジェクトは電子透かしであってもよい。撮像画像内に電子透かしが含まれる場合、一見すると元のデータと変わりがないように見えるが、画像処理部１０８が電子透かしの検出処理を行うことにより電子透かしを検出した場合、検出した電子透かしの情報を制限信号として取得する。
【００６１】
また、画像処理部１０８は、検出した特定オブジェクトが、例えば、撮像許可を示すＱＲコードのような２次元情報、撮像許可マーク、撮像許可の文字、記憶処理許可マーク、記憶処理許可の文字等である場合、検出した特定オブジェクトを解除信号として取得する。
【００６２】
通信処理部１０４は、制限信号及び解除信号を受動的又は能動的に取得する。受動的に動作する通信方式として、ＩＣタグを利用した例を説明する。ＩＣタグを利用した場合、非接触で撮像装置１に対して制限信号及び解除信号を送信することが可能となる。より具体的には、受動的に動作する通信方式は、ＩＳＯ／ＩＥＣ１８０００−３で制定されている電磁誘導を用いる方式や、ＳＯ／ＩＥＣ１８０００−３で制定されているＵＨＦ帯を用いる方式である。
【００６３】
このようなＩＣタグとデータを送受信する装置を、著作権などで保護されたコンテンツを視聴する環境の入口ゲートに設置することで、非接触で撮像装置１を特定動作状態に遷移させることが可能となる。また、出口ゲートにＩＣタグとデータを送受信する装置を設置することで、非接触で撮像装置１を特定動作状態から通常動作状態に遷移させることも可能となる。尚、本実施形態においては、ＩＣタグを用いた通信について説明したが、これは一例であり、撮像装置１が受動的に動作する通信方式であれば、いずれの通信方式でも良い。
【００６４】
また、能動的に動作する通信方式の一例として、無線ＬＡＮを利用した取得処理について説明する。無線ＬＡＮを利用する場合、通信処理部１０４は、アクセスポイント３から送信されるビーコン信号を取得することにより、アクセスポイントのＥＳＳＩＤや変調方式を、他の装置が確認することが出来る。図１のようなネットワーク構成の場合、撮像装置１はアクセスポイント３から送信されるビーコン信号を能動的に取得し、ＥＳＳＩＤや変調方式の相互確認が取れた後、認証、アソシエーション、データのやりとりを経て、ネットワーク４に接続する。ここで、ビーコン信号内に制限信号や解除信号を多重することで、撮像装置１は能動的に制限信号及び解除信号を取得することが可能となる。
【００６５】
位置情報処理部１０６は、情報処理装置２を介して制限信号及び解除信号を取得する。図８は、本実施形態に係る情報処理装置２の機能構成を例示するブロック図である。図８に示すように、情報処理装置２は、通信処理部２０１、画像処理部２０２、制御部２０３、通信入出力部２０４及び情報記憶部２０５を含む。
【００６６】
位置情報処理部１０６は、制御部１０１を介して通信処理部１０４に対して取得した位置情報を出力する。通信処理部１０４は、通信入出力部１０５を介して情報処理装置２に対して位置情報を送信する。情報処理装置２の通信処理部２０１は、通信入出力部２０４を介して撮像装置１から送信された位置情報を取得し、制御部２０３に対して出力する。
【００６７】
制御部２０３は、取得した位置情報と、情報記憶部２０５に記憶されている位置情報リストとを参照して、撮像装置１に対して制限信号又は解除信号を送信するかを決定する。図９は、位置情報リストを例示する図である。図９に示すように、位置情報リストは、位置情報（例えば、経度緯度）及び信号の種類が関連付けられて構成される。制御部２０３は、図９に示した位置情報リストのうち取得した位置情報と一致する信号種類がある場合、その信号種類の信号を、撮像装置１に対して送信する。位置情報処理部１０６は、情報処理装置２から制限信号又は解除信号が送信された場合、送信された制限信号又は解除信号を取得して、制御部１０１に対して出力する。
【００６８】
このように、制御部１０１は、音声情報、撮像画像、ＩＣタグやビーコン等の無線信号、位置情報等、撮像処理が行われる場所に応じて入力される入力情報に基づいて、制限情報を取得する。
【００６９】
以上説明したように、本実施形態に係る撮像装置１は、撮像部１０９による撮像画像の取得が可能であって画像処理部１０８による撮像画像に基づいて生成された画像ファイルの記憶処理が制限された状態に制御する。すなわち、本実施形態に係る撮像装置１によれば、撮影が禁止されているコンテンツを視聴する環境において、撮像部１０９を介してコンテンツの画像情報を取得して、画像情報に基づいてそのコンテンツに関する情報を取得することはできるが、取得した画像情報の画像ファイルを生成して保存することはできず、コンテンツを後から閲覧や配布することはできなくなる。これにより、コンテンツを視聴する環境において、コンテンツを保護しつつ撮像装置の利便性を向上させることが可能になる。
【００７０】
なお、本実施形態においては、図５に示すように、撮像装置１の初期状態を「通常動作状態」とし、取得した制限信号に基づき「特定動作状態１」、「特定動作状態２」、「特定動作状態３」のいずれかの状態にする場合を例として説明した。その他、撮像装置１の初期状態を撮像部１０９による撮像処理も画像処理部１０８による画像記憶処理も不可能な状態である「特定動作状態３」とし、取得した制限信号や解除信号に基づき、「通常動作状態」、「特定動作状態１」、「特定動作状態２」のいずれかの状態にする構成であってもよい。
【００７１】
この場合、例えば、音声処理部１０２により制限信号や解除信号を取得する場合、入口ゲートに設置する音声発生装置からは、「特定動作状態１」又は「特定動作状態２」とする制限信号や「通常動作状態」にする解除信号として取得される音声情報が発生する。そして出口ゲート設置する音声発生装置からは、「特定動作状態３」とする制限信号として取得される音声情報が発生する。なお、コンテンツを視聴する環境が「特定動作状態３」とする場合は、制限信号や解除信号を取得するためのゲート等を準備する必要はない。
【００７２】
すなわち、この場合、撮像部１０９及び画像処理部１０８に対する制限が最も厳しい状態から、コンテンツを視聴する環境に応じて制限を弱くしたり解除したりする。例えば、音声処理部１０２等から制限信号を取得するために、ユーザが撮像装置１にインストールされた専用のアプリケーションを立ち上げる必要がある場合、初期状態が「通常動作状態」であれば、ユーザが自らアプリケーションを立ち上げなければ撮像処理や画像記憶処理を制限状態にすることができないので、コンテンツの盗撮目的のユーザはアプリケーションの立ち上げを行わない場合が考えられる。一方、初期状態が「特定動作状態３」であれば、ユーザがアプリケーションを立ち上げなければ、最も厳しい制限状態となるので、コンテンツの盗撮をより防止しやすくなる。
【００７３】
また、本実施形態においては、位置情報処理部１０６がＧＰＳ等の位置情報入力部１０７から入力された位置情報が用いられる場合を例として説明した。その他、位置情報は、撮像装置１周辺のアクセスポイント３のＭＡＣ（Ｍｅｄｉａ  Ａｃｃｅｓｓ  Ｃｏｎｔｒｏｌ）アドレスであってもよい。無線ＬＡＮ搭載機器では、認証を行わずとも、周囲の無線ＬＡＮ機器のＭＡＣアドレス情報や電波の強度情報が取得できる。そのため、情報処理装置２は、撮像装置１周辺のアクセスポイント３のＭＡＣアドレスを位置情報として利用できる。
【００７４】
また、本実施形態においては、撮像装置１が情報処理装置２に対して位置情報を能動的に送信する場合を例として説明したがこれは一例である。図１０は、基地局を介して撮像装置１と情報処理装置２とが接続される撮像システムの運用形態を例示する図である。例えば、図１０に示す基地局５−１を介して情報処理装置２とデータの送受信を行う場合、基地局５−１が撮像装置１からのデータに位置情報を付加しても良い。このようにすることで、撮像装置１のＧＰＳ機能を無効化している場合やＧＰＳ信号が受けられない室内や地下おいても、情報処理装置２が撮像装置１の位置情報を取得することができ、適切に制限信号及び解除信号を撮像装置１に送信することが可能となる。尚、基地局５−１は、他の基地局５−２、５−３との通信強度に基づいて位置情報を取得する。
【００７５】
その他、撮像装置１がアクセスポイント３を介して情報処理装置２とデータの送受信を行う場合、制御部２０３は、アクセスポイント３のＭＡＣアドレスと、情報記憶部２０５に記憶されているＭＡＣアドレスリストとを参照して、撮像装置１に対して制限信号又は解除信号を送信するかを決定する。図１１は、ＭＡＣアドレスリストを例示する図である。図１１に示すように、ＭＡＣアドレスリストは、ＭＡＣアドレス及び信号の種類が関連付けられて構成される。
【００７６】
制御部２０３は、図１１に示したＭＡＣアドレスリストのうち、アクセスポイント３のＭＡＣアドレスと一致する信号種類がある場合、その信号種類の信号を、撮像装置１に対して送信する。位置情報処理部１０６は、情報処理装置２から制限信号又は解除信号が送信された場合、送信された制限信号又は解除信号を取得して、制御部１０１に対して出力する。このようにすることで、情報処理装置２は、特定の通信網を利用する撮像装置１に対して適切に制限信号及び解除信号を送信することが可能となる。
【００７７】
また、本実施形態においては、撮像装置１の画像処理部１０８が、撮像画像に制限信号や解除信号が含まれるか否かを判定する場合を例として説明した。その他、このような画像処理部１０８による処理が情報処理装置２において行われるようにしてもよい。
【００７８】
この場合、撮像装置１は、撮像部１０９が取得した撮像画像を、ネットワークを介して情報処理装置２に送信する。撮像装置１から撮像画像が送信されると、図８に示した情報処理装置２の通信処理部２０１は、送信された撮像画像を取得し、画像処理部２０２に対して出力する。
【００７９】
画像処理部２０２は、通信処理部２０１から出力された撮像画像から特徴情報を抽出し、制御部２０３に対して送信する。制御部２０３は、画像処理部２０２から取得した特徴情報と、情報記憶部２０５に記憶されている特定画像オブジェクトの特徴情報とを比較し、撮像装置１に対して制限信号及び解除信号を送信するかを決定する。例えば、特定画像オブジェクトは、ＱＲコードのような２次元情報、撮像禁止のマーク、撮像禁止の文字、情報記憶部２０５に記憶されている著作権で守られた絵画である。また、絵画の特徴情報とは、サイズ、色相、構図、展示形態等の特徴を数値化したものである。このようにすることで、絵画の著作権を守りつつ、絵画を撮像することにより絵画を特定し、その絵画に関する情報をＡＲでユーザに提示するといった使用方法が実現できる。
【００８０】
また、特定画像オブジェクトは、撮像画像の記憶処理禁止マークや記憶処理禁止文字が含まれてもよい。画像処理部２０２は、これらのオブジェクトの組合せに応じた制限信号を撮像画像から取得する。その他、特定画像オブジェクトは電子透かしであってもよい。撮像画像内に電子透かしが含まれる場合、一見すると元のデータと変わりがなくいように見えるが、画像処理部２０２が電子透かしの検出処理を行うことにより電子透かしを検出した場合、検出した電子透かしの情報を制限信号として取得する。
【００８１】
また、画像処理部２０２は、検出した特定オブジェクトが、例えば、撮像許可を示すＱＲコードのような２次元情報、撮像許可マーク、撮像許可の文字、記憶処理許可マーク、記憶処理許可の文字等である場合、検出した特定オブジェクトを解除信号として取得する。
【００８２】
このような処理により、撮像画像に制限信号又は解除信号が含まれるか否かの判定処理を撮像装置１側で行う必要がないので、撮像装置１の回路規模を小さくしたり、処理のために必要なメモリ容量を小さくしたりすることができる。
【００８３】
また、本実施形態においては、制限信号及び解除信号を取得する構成部として、音声処理部１０２、通信処理部１０４、位置情報処理部１０６及び画像処理部１０８を例として説明した。しかしながら、これらの構成部のすべてが制限信号及び解除信号を取得する処理を行うことは必須ではなく、いずれか１つの構成部が制限信号及び解除信号を取得する処理を行うことができれば、その他の構成部でこの処理を行わなくてもよい。
【００８４】
また、本実施形態において、画像処理部１０８は、制限信号又は解除信号に基づく動作状態に応じて、撮像装置１に含まれる画像記憶部１１１に撮像画像を記憶させる場合を例として説明した。その他、撮像装置１から撮像画像が送信された情報処理装置２の画像処理部２０２が、制限信号又は解除信号に基づく動作状態に応じて、情報処理装置２の情報記憶部２０５等の撮像装置１の外部の記憶媒体やサーバに撮像画像を記憶させてもよい。
【００８５】
図１２は、撮像装置１において取得した撮像画像を情報処理装置２の情報記憶部２０５に記憶させる場合の情報処理装置２の各構成部の動作を例示するフローチャートである。図１２に示すように、通信処理部２０１は、通信入出力部２０４を介して撮像装置１から撮像画像を取得する（Ｓ１２０１／ＹＥＳ）まで待機する（Ｓ１２０１／ＮＯ）。
【００８６】
通信処理部２０１が撮像画像を取得すると（Ｓ１２０１／ＹＥＳ）、制御部２０３は、取得した撮像画像に制限信号が付加されているか否かを判定する（Ｓ１２０２）。なお、制限信号は、上述した撮像装置１の音声処理部１０２等から取得される制限信号であり、音声処理部１０２等が制限信号を取得すると、取得された制限信号が付加された撮像画像が情報処理装置２に送信されるものとする。
【００８７】
制限信号が付加されていると判定した場合（Ｓ１２０２／ＹＥＳ）、制御部２０３は、付加されている制限信号が「１」であるか否かを判定する（Ｓ１２０３）。制限信号が「１」である場合（Ｓ１２０３／ＹＥＳ）、制御部２０３は、動作状態を図４に示した「特定動作状態１」として、画像処理部２０２を制御して、特定コマンドを生成し（Ｓ１２０４）、取得した撮像画像に付加して（Ｓ１２０５）、情報記憶部２０５に記憶させる制限状態とする。
【００８８】
そして、制御部２０３は、通信処理部２０１に対して、付加されている制限信号が「特定動作状態１」を示すことを表示するための情報を撮像装置１に送信するよう通知する（Ｓ１２０６）。これにより、撮像装置１の表示部においては、「特定動作状態１」を示す動作状態表示画像が表示される。
【００８９】
本実施形態においては、通信処理部２０１から送信された情報に基づいて撮像装置１の画像処理部１０８が動作状態表示画像を生成する場合を例とするが、情報処理装置２の画像処理部２０２において動作状態表示画像が生成されて撮像装置１に送信されてもよい。また、撮像装置１において制限信号が取得された際に動作状態が特定可能であれば、情報処理装置２から動作状態を表示するための情報を撮像装置１に送信しなくてもよい。
【００９０】
制御部１０１により「特定動作状態１」に制御された画像処理部２０２は、特定コマンドを付加した撮像画像を、情報記憶部２０５に記憶させる（Ｓ１２０７）。すなわち、この場合、情報記憶部２０５は、画像記憶部１１１と同様の役割となる。なお、Ｓ１２０６の処理とＳ１２０７の処理とは前後関係の制約はなく、逆の順序で実行されてもよいし、並列して実行されてもよい。
【００９１】
一方、撮像画像に付加されている制限信号が「１」ではない場合（Ｓ１２０３／ＮＯ）、取得した撮像画像を破棄する（Ｓ１２０８）。制限信号が「１」ではない場合、特定動作状態は、図４に示した「特定動作状態２」又は「特定動作状態３」であるので、取得した撮像画像を情報記憶部２０５に記憶させることが禁止されるからである。
【００９２】
そして、制御部２０３は、通信処理部２０１に対して、付加されている制限信号が「特定動作状態２」又は「特定動作状態３」を示すことを表示するための情報を撮像装置１に送信するよう通知する（Ｓ１２０９）。これにより、撮像装置１の表示部においては、「特定動作状態２」又は「特定動作状態３」を示す動作状態表示画像が表示される。なお、Ｓ１２０８の処理とＳ１２０９の処理とは前後関係の制約はなく、逆の順序で実行されてもよいし、並列して実行されてもよい。
【００９３】
一方、制限信号が付加されていないと判定した場合（Ｓ１２０２／ＮＯ）、動作状態は図４に示した「通常動作状態」なので、画像処理部２０２は、取得した撮像画像をそのまま情報記憶部２０５に記憶させる（Ｓ１２０７）。
【００９４】
このような構成であっても、コンテンツを視聴する環境において、コンテンツを保護しつつ撮像装置の利便性を向上させることが可能になる。さらに、撮像装置１に含まれる画像記憶部１１１に撮像画像が記憶されないので、撮像装置１の記憶媒体の使用量を軽減することができる。また、撮像装置１が撮像画像を記憶させるための記憶媒体を含まない構成とすることもできるので、撮像装置１を軽量化することができる。
【００９５】
［実施例２］
次に、実施例２を説明する。上述した実施例１においては、撮像部１０９により撮像されて生成された撮像画像は、一般的なカメラで撮像されて生成された画像、すなわち、何が撮像されているのか認知可能な画像である場合を説明した。実施例２に係る撮像装置１は、何が撮像されているのか認知不可能な撮像画像を生成する撮像部１０９を有する。
【００９６】
より具体的には、撮像部１０９は、ＷＦＣ（Ｗａｖｅ−ｆｒｏｎｔ  Ｃｏｄｉｎｇ）技術等により、意図的に認知不可能な撮像画像を生成する。ＷＦＣ技術は、焦点深度を拡大するために撮像部１０９に位相板が挿入されるため、撮像された画像自体は認知不可能となるが、得られた画像に適切な画像処理を加えることで、認知可能な画像に変換することが可能な技術である。
【００９７】
実施例２に係る撮像装置１は、適切な画像処理を加えないと画像として認知不可能な画像を生成する撮像部１０９を有する。換言すれば、撮像部１０９自体が暗号手段を有しているといえる。図１３（ａ）は、本実施形態における撮像部１０９により撮像されて生成された撮像画像を例示する図であり、図１３（ｂ）は、図１３（ａ）の撮像画像が復元された復元画像を例示する図である。このように、ユーザは、図１３（ａ）に示した撮像画像から、図１３（ｂ）の復元画像を認知することはできない。
【００９８】
以下、このように撮像部１０９において暗号化された図１３（ａ）に示すような撮像画像を処理する構成を実施例２として説明する。実施例２においては、撮像部１０９において暗号化された撮像画像が撮像装置１からネットワークを介して情報処理装置２に対して送信され、情報処理装置２において暗号化された撮像画像が復元され、制限信号や解除信号に基づく動作状態に応じて復元された撮像画像が情報記憶部２０５に記憶されるものとする。
【００９９】
図１４は、実施例２における情報処理装置２の各構成部の動作を例示するフローチャートである。図１４に示すように、通信処理部２０１は、通信入出力部２０４を介して撮像装置１から撮像画像を取得する（Ｓ１４０１／ＹＥＳ）まで待機する（Ｓ１４０１／ＮＯ）。なお、本実施形態において通信処理部２０１が取得する撮像画像は、撮像部１０９により暗号化された図１３（ａ）に示すような撮像画像である。
【０１００】
通信処理部２０１が撮像画像を取得すると（Ｓ１４０１／ＹＥＳ）、画像処理部２０２は、取得された撮像画像を、撮像装置１からの要求に応じて復元する（Ｓ１４０２）。撮像装置１からの要求は、撮像した画像の復元するための情報を含み、例えば、ＷＦＣ技術が用いられる場合、復元するための情報は復元画像の焦点位置情報等である。また、撮像装置１からの要求は、撮像部１０９において用いられた暗号化手段を示す情報でもよい。
【０１０１】
撮像画像を復元した画像処理部２０２は、復元された撮像画像を解析する（Ｓ１４０３）。具体的には、画像処理部２０２は、実施例１と同様に、撮像画像から特定画像オブジェクトを検出する。画像処理部２０２は、撮像画像から特定画像オブジェクトを検出した場合、制限信号として検知して取得する。
【０１０２】
制御部２０３は、制限信号が検知された場合（Ｓ１４０４／ＹＥＳ）、以降、図１２に示したＳ１２０３〜Ｓ１２０９の処理と同様な処理を行う（Ｓ１４０５〜Ｓ１４１１）。一方、制限信号が検知されなかった場合（Ｓ１４０４／ＮＯ）、制御部２０３は、図１２に示したＳ１２０７の処理と同様な処理を行う（Ｓ１４０９）。
【０１０３】
このような構成により、撮像部１０９において暗号化された撮像画像は、撮像装置１とネットワークを介して接続された情報処理装置２に送信され復元される必要がある。そのため、撮像装置１が複数ある場合であっても、それぞれの撮像装置１において生成された撮像画像はネットワークを介して接続された情報処理装置２に送信されるので、情報処理装置２において撮像画像を一元管理が可能になる。
【０１０４】
なお、本実施形態において複数の暗号化された撮像画像を取得し、取得した複数の撮像画像を解析してもよい。例えば、ＷＦＣ技術を用いた場合、取得した様々な焦点位置における撮像画像を復元することにより、１つの撮像画像では検出できなかった特定画像オブジェクトを検出することが可能になり、特定画像オブジェクトの検出精度が向上する。
【０１０５】
また、本実施形態においては、情報処理装置２において画像復元処理、画像解析処理、画像記憶処理を行う場合を例として説明した。しかしながら、これは一例であり、画像復元処理及び画像解析処理を情報処理装置２とは別の特定情報処理装置が行う構成としてもよい。
【０１０６】
図１５は、画像復元処理及び画像解析処理を行う情報処理装置２とは別の特定情報処理装置がネットワークを介して接続されている場合の情報処理装置２の動作を例示するフローチャートである。図１５に示すように、通信処理部２０１は、通信入出力部２０４を介して撮像装置１から撮像画像を取得する（Ｓ１５０１／ＹＥＳ）まで待機する（Ｓ１５０１／ＮＯ）。なお、本実施形態において通信処理部２０１が取得する撮像画像は、撮像部１０９により暗号化された図１３（ａ）に示すような撮像画像である。
【０１０７】
通信処理部２０１が撮像画像を取得すると（Ｓ１５０１／ＹＥＳ）、制御部２０３は、取得した撮像画像に、特定情報処理装置へ送信することを示す送信指示情報が付加されているか否かを判定する（Ｓ１５０２）。送信指示情報は、例えば、取得した撮像画像を送信した撮像装置１の位置を示す位置情報及び送信命令等の特定の送信用信号である。
【０１０８】
送信指示情報は、例えば、撮像装置１、基地局５−１、アクセスポイント３のいずれかにより、予め定められた特定の空間（場所）で撮像されて生成された撮像画像に付加されるものとする。その他、実施例１において説明した音声処理部１０２等により取得された制限信号や解除信号を、特定の送信用信号としてもよい。
【０１０９】
送信指示情報が付加されていると判定された場合（Ｓ１５０２／ＹＥＳ）、通信処理部２０１は、通信入出力部２０４を介して特定情報処理装置に対して撮像画像を送信する（Ｓ１５０３）。これにより特定情報処理装置は、情報処理装置２から送信された撮像画像に対して上述した画像復元処理及び画像解析処理を行い、解析済の撮像画像を情報処理装置２に対して送信する。以降、制御部２０３は、図１４に示したＳ１４０４〜Ｓ１４１１の処理と同様な処理を行う（Ｓ１５０６〜Ｓ１５１４）。
【０１１０】
一方、送信指示情報が付加されていないと判定された場合（Ｓ１５０２／ＮＯ）、情報処理装置２の各構成部は、以降、図１４に示したＳ１４０２〜Ｓ１４１１と同様な処理を行う（Ｓ１５０４〜Ｓ１５１３）。
【０１１１】
このような構成により、特定の空間（場所）で撮像されて生成された撮像画像は、撮像装置１や情報処理装置２とネットワークを介して接続された特定情報処理装置に送信され画像復元及び画像解析が行われるので、特定の空間で撮像されて生成された撮像画像を、一元管理することが可能になる。
【０１１２】
［実施例３］
次に、実施例３を説明する。実施例１及び実施例２においては、制御部１０１は、撮像画像、音声情報、無線信号、位置情報等の撮像装置１の外部で生成される情報に基づいて制限信号及び解除信号を取得した。実施例３においては、制御部１０１は、撮像装置１単体で生成する情報から制限信号及び解除信号を取得する。
【０１１３】
図１６は、実施例３に係る撮像装置１の機能構成を例示するブロック図である。図１６に示すように、実施例３に係る撮像装置１は、図３に示した実施例１に係る撮像装置１の構成部に光情報処理部１１２、光情報入出力部１１３が追加された構成をとる。以下、図３に示した構成部とは異なる構成のみを説明し、それ以外の構成は説明を省略する。光情報入出力部１１３は、ＬＥＤ（Ｌｉｇｈｔ  Ｅｍｉｔｔｉｎｇ  Ｄｉｏｄｅ）等の発光素子である発光部及びＰＤ（Ｐｈｏｔｏ  Ｄｉｏｄｅ）等の受光素子である受光部から構成される。
【０１１４】
図１７は、光情報処理部１１２及び制御部１０１の動作を例示するフローチャートである。図１７に示すように、光情報処理部１１２は、制御部１０１からの発光命令を受け、光情報入出力部１１３の発光素子を点灯する発光処理を行う（Ｓ１７０１）。本実施形態においては、撮像部１０９による撮像処理が開始されると、Ｓ１７０１の処理により、撮像部１０９付近にある可視光の赤色ＬＥＤや赤外光の赤外ＬＥＤ等の発光素子が発光するものとする。すなわち、発光素子は撮像中であることを示すインジケータの役割をする。これにより、撮像装置１により撮像中であることを、外部から目視や赤外光を検知するための装置等により容易に認識することができる。
【０１１５】
発光処理を行った光情報処理部１１２は、光情報入出力部１１３の発光素子からの光が物体に跳ね返ることにより光情報入出力部１１３の受光素子が反射光を受光したことを検知すると（Ｓ１７０２）、検知したことを制御部１０１に対して通知する。これは、例えば、撮影が禁止されている映画館や美術館等においてユーザが撮像装置１を用いて撮像処理を開始した場合に、撮像部１０９付近の発光素子が発光し、上述したように撮像していることを外部から容易に認識することができるため、ユーザは撮像していることがばれないよう手などで発光素子からの光を隠そうとする。このような場合に、手が反射物となり発光素子からの光が跳ね返り受光素子により反射光を受光したことが検知される。
【０１１６】
光情報処理部１１２から通知を受けた制御部１０１は、撮像部１０９及び画像処理部１０８の処理を制限する制御を行う（Ｓ１７０３）。具体的には、例えば、制御部１０１は、撮像部１０９に対して撮像命令信号の送信を中止し、撮像部１０９による撮像処理を不可能にする制御を行う（すなわち、図４に示した「特定動作状態３」とする）。その他、例えば、制御部１０１は、図４に示した「特定動作状態１」及び「特定動作状態２」のいずれかの動作状態となるよう撮像部１０９及び画像処理部１０８を制御してもよい。
【０１１７】
また、制御部１０１は、通常動作状態から特定動作状態へ遷移した場合、図５に示したＳ５０８の処理と同様に、画像処理部１０８に対して、いずれの特定動作状態であるかを表示するための動作状態表示画像を生成するよう通知してもよい。
【０１１８】
このように、発光素子からの光の反射光の受光を検知したことが制限信号を取得したことになる。すなわち、実施例３に係る制御部１０１は、撮像装置１単体で生成する情報から制限信号を取得する。
【０１１９】
また、受光素子が反射光を受光しなくなると、制御部１０１は、撮像部１０９及び画像処理部１０８の制限状態を解除するようにしてもよい。この場合、受光素子が反射光を受光しなくなったことが解除信号を取得したことになる。すなわち、実施例３に係る制御部１０１は、撮像装置１単体で生成する情報から解除信号を取得する。
【０１２０】
このような発光素子を設けることにより、撮像中であることが簡易な構成で外部から認識可能になる。また、このような構成により、ユーザが発光素子を盗撮目的で故意に隠している場合は、撮像処理や撮像画像の記憶処理を制限し、コンテンツの盗撮を防止することができる。
【０１２１】
なお、本実施形態においては、受光素子により反射光が検知された場合、制御部１０１が撮像部１０９及び画像処理部１０８の動作を制限する制御を行う場合を例として説明した。その他、受光素子により反射光が検知されると、光情報処理部１１２は、まず、発光素子を発光してから反射光が受光されるまでの時間を計測し、計測した時間に応じて発光素子から反射物までの距離を算出し、制御部１０１に対して算出した距離を出力する。
【０１２２】
制御部１０１は、光情報処理部１１２から出力された距離が予め定められた距離以下（例えば、３０ｃｍ）である場合、撮像部１０９及び画像処理部１０８の処理を制限する制御を行う。なお、光情報処理部１１２が計測した時間を制御部１０１に対して出力し、制御部１０１が出力された時間に基づいて発光素子から反射物までの距離を算出してもよい。
【０１２３】
発光素子から反射物までの距離が比較的近い場合、その反射物が手等の発光素子を故意に隠すための物体であると考えられるからである。一方、発光素子から反射物までの距離が比較的遠い場合、発光素子を故意に隠すための物体ではなく、壁等の何らかの反射物により偶然光が反射したと考えられる。このような構成により、より精度よくコンテンツの盗撮を防止することができる。
【０１２４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成の他の実施例の構成を加えることも可能である。また、各実施例の構成の一部について、他の構成の追加・削除・置換をすることが可能である。
【０１２５】
また、上記の各構成、機能、処理部、処理手段等は、それらの一部又は全部を、例えば集積回路で設計することによりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、又は、ＩＣカード、ＳＤカード、ＤＶＤ等の記録媒体に置くことができる。
【０１２６】
また、制御線や情報線は説明上必要と考えられるものを示しており、製品上必ずしも全ての制御線や情報線を示しているとは限らない。実際にはほとんど全ての構成が相互に接続されているものと考えてもよい。
【符号の説明】
【０１２７】
１  撮像装置
２  情報処理装置
３  アクセスポイント
４  インターネット
５  基地局
１０１  制御部
１０２  音声処理部
１０３  音声入出力部
１０４  通信処理部
１０５  通信入出力部
１０６  位置情報処理部
１０７  位置情報入力部
１０８  画像処理部
１０９  撮像部
１１０  表示制御部
１１１  画像記憶部
１１２  光情報処理部
１１３  光情報入出力部
２０１  通信処理部
２０２  画像処理部
２０３  制御部
２０４  通信入出力部
２０５  情報記憶部
【図１】
2020144378.tif 000003
【図２】
2020144378.tif 000004
【図３】
2020144378.tif 000005
【図４】
2020144378.tif 000006
【図５】
2020144378.tif 000007
【図６】
2020144378.tif 000008
【図７】
2020144378.tif 000009
【図８】
2020144378.tif 000010
【図９】
2020144378.tif 000011
【図１０】
2020144378.tif 000012
【図１１】
2020144378.tif 000013
【図１２】
2020144378.tif 000014
【図１３】
2020144378.tif 000015
【図１４】
2020144378.tif 000016
【図１５】
2020144378.tif 000017
【図１６】
2020144378.tif 000018
【図１７】
2020144378.tif 000019
【手続補正書】
【提出日】令和2年4月17日(2020.4.17)
【手続補正２】
【補正対象書類名】明細書
【補正対象項目名】０００１
【補正方法】変更
【補正の内容】
【０００１】
本発明は、ヘッドマウントディスプレイ装置に関する。
【手続補正３】
【補正対象書類名】明細書
【補正対象項目名】０００８
【補正方法】変更
【補正の内容】
【０００８】
上記課題を解決するために、本発明は、使用者の視野方向に画像を表示するヘッドマウントディスプレイ装置であって、被写体を撮像して画像情報を取得する撮像部と、取得された前記画像情報に基づいて画像ファイルを生成して記憶媒体に記憶させる画像記憶処理部と、ネットワークを介して情報を取得する通信処理部と、前記使用者の視野方向に配される表示画面に画像を表示させる表示制御部と、当該ヘッドマウントディスプレイ装置の構成要素の動作を制御する制御部と、を備え、前記制御部は、前記画像情報の取得及び前記画像ファイルの記憶それぞれの制限の有無の組合せを示す制限情報を取得し、前記制限情報に基づいて、前記画像情報の取得が可能であり、かつ前記画像ファイルの記憶が禁止される状態に前記撮像部及び前記画像記憶処理部を制御可能であり、この状態において、前記画像情報に基づく第１の画像と、前記通信処理部を介して前記ネットワークから取得した前記被写体に関する関連情報に基づく第２の画像とを前記表示画面に表示するよう前記表示制御部を制御する、ことを特徴とする。
【手続補正４】
【補正対象書類名】特許請求の範囲
【補正対象項目名】全文
【補正方法】変更
【補正の内容】
【特許請求の範囲】
【請求項１】
使用者の視野方向に画像を表示するヘッドマウントディスプレイ装置であって、
被写体を撮像して画像情報を取得する撮像部と、
取得された前記画像情報に基づいて画像ファイルを生成して記憶媒体に記憶させる画像記憶処理部と、
ネットワークを介して情報を取得する通信処理部と、
前記使用者の視野方向に配される表示画面に画像を表示させる表示制御部と、
当該ヘッドマウントディスプレイ装置の構成要素の動作を制御する制御部と、
を備え、
前記制御部は、
前記画像情報の取得及び前記画像ファイルの記憶それぞれの制限の有無の組合せを示す制限情報を取得し、
前記制限情報に基づいて、前記画像情報の取得が可能であり、かつ前記画像ファイルの記憶が禁止される状態に前記撮像部及び前記画像記憶処理部を制御可能であり、
この状態において、前記画像情報に基づく第１の画像と、前記通信処理部を介して前記ネットワークから取得した前記被写体に関する関連情報に基づく第２の画像とを前記表示画面に表示するよう前記表示制御部を制御する、
ことを特徴とする、ヘッドマウントディスプレイ装置。
【請求項２】
前記第２の画像は、拡張現実により作成される拡張現実画像を含む、
請求項１に記載のヘッドマウントディスプレイ装置。